(57)【要約】【課題】取出具を確実に利用することが可能なヒンジ式容器を提供する。【解決手段】ヒンジ式容器１は、開口１０ａを取り囲むフランジ部１３をもつ容器本体２と、開口１０ａを開閉する旋回カバー３０を有し容器本体２に取り付けられた蓋体３と、容器本体２に収容された内容物５を取り出すための取出具４と、を備える。容器本体２は、取出具４に係合するための容器係合部１５を含み、旋回カバー３０は、取出具４に係合するための蓋係合部３５を含む。取出具４は、旋回カバー３０で開口１０ａを閉じた閉鎖状態Ｃ１において、容器係合部１５及び蓋係合部３５に係合して、旋回カバー３０を容器本体２に係止する。【選択図】図１
2016204017.tif 000002
【特許請求の範囲】
【請求項１】
開口を取り囲むフランジ部をもつ容器本体と、
前記開口を開閉する旋回カバーを有し前記容器本体に取り付けられた蓋体と、
前記容器本体に収容された内容物を取り出すための取出具と、
を備え、
前記容器本体は、前記取出具に係合するための容器係合部を含み、
前記旋回カバーは、前記取出具に係合するための蓋係合部を含み、
前記取出具は、前記旋回カバーで前記開口を閉じた閉鎖状態において、前記容器係合部及び前記蓋係合部に係合して、前記旋回カバーを前記容器本体に係止する、ヒンジ式容器。
【請求項２】
前記取出具は、互いに対向して位置する一対の挟持片と、前記一対の挟持片の基端部同士を連結する連結片と、を含み、
前記一対の挟持片の先端部同士が互いに対して接離可能になっている、請求項１に記載のヒンジ式容器。
【請求項３】
前記取出具の前記一対の挟持片は、当該一対の挟持片の間外に突出した係合爪をそれぞれ含み、
前記容器本体の前記容器係合部は、前記取出具の前記一対の挟持片を間に挿入される一対の係止壁を含み、
前記容器本体の前記一対の係止壁は、当該一対の係止壁の間に前記取出具の前記一対の挟持片を挿入された状態で、各々に対応する挟持片の前記係合爪が引っ掛けられる一対の係止爪を含む、請求項２に記載のヒンジ式容器。
【請求項４】
前記蓋体は、前記容器本体の前記フランジ部に取り付けられ、前記旋回カバーを枢動可能に支持する取付ベースを有し、
前記旋回カバーは、前記開口を覆うための天壁と、天壁の周縁から垂下した周壁と、を有し、
前記旋回カバーの前記周壁は、前記取付ベースに枢動可能に接続された前記旋回カバーの基端部と対向する先端部側に位置する前壁を有し、
前記蓋係合部は、前記前壁に設けられている、請求項１乃至３のいずれか一項に記載のヒンジ式容器。
【請求項５】
前記容器本体は、前記旋回カバーで前記開口を閉じた状態で、前記旋回カバーの前記前壁に対向する前胴部分を有し、
前記容器係合部は、前記前胴部分に設けられている、請求項４に記載のヒンジ式容器。
【請求項６】
前記蓋係合部は、前記基端部と前記先端部とを結ぶ前後方向に前記前壁から突出しており、
前記取出具は、前記閉鎖状態において前記容器係合部に係止され、且つ、前記閉鎖状態において前記蓋係合部の上方に位置して前記旋回カバーが前記開口を開くように動くことを規制する規制壁を含む、請求項４または５に記載のヒンジ式容器。
【請求項７】
前記蓋係合部は、前記基端部と前記先端部とを結ぶ前後方向に前記前壁から突出し、
前記容器係合部は、前記前後方向に前記前胴部分から突出し、
前記取出具には、前記閉鎖状態において前記蓋係合部が挿入される空間と、前記閉鎖状態において前記容器係合部が挿入される空間と、が形成されている、請求項４乃至６のいずれか一項に記載のヒンジ式容器。
【発明の詳細な説明】
【技術分野】
【０００１】
本発明は、小児が製品を誤飲することを防止する機能を持つヒンジ式容器に関する。
【背景技術】
【０００２】
例えば、特許文献１乃至３に記載されているように、内容物を収容するための容器として、ヒンジ式容器が利用に供されている。典型的なヒンジ式容器は、内容物を収容する容器本体の開口を、ヒンジ式の蓋で開閉する構造をもつ。このようなヒンジ式容器は、開閉が容易で利便性に優れるため種々の商品を収容する用途に利用されている。ヒンジ式容器に収容される内容物の一例として、食品用の固形物、薬剤あるいは非食用のゲル状投与物が挙げられる。
【先行技術文献】
【特許文献】
【０００３】
【特許文献１】特開２０１２−５１６８１９号公報
【特許文献２】特開２０１３−１１２３６９号公報
【特許文献３】特許第５０８７３５７号
【特許文献４】特開２０１４−０９１５２８号公報
【発明の概要】
【発明が解決しようとする課題】
【０００４】
ヒンジ式容器に収容される内容物によっては、直接手で触れるべきでない内容物もある。この点、例えば特許文献４には、手で触れずに内容物を取り出すべく、取出具付きのヒンジ式容器が記載されている。しかしながら、特許文献４に記載のヒンジ式容器では、取出具が蓋の裏側に取り付け可能になっているため、内容物を取り出すときに取出具を見つけられなかったり、利用後に取出具を蓋の裏側に戻し忘れてしまうおそれがあった。
【０００５】
本発明は、このような点を鑑みてなされたものであって、取出具を確実に利用することが可能なヒンジ式容器を実現することを目的とする。
【０００６】
なお、内容物によっては、色や匂いによって小児が惹き付けられ商品を誤って口にしてしまうおそれが高い。このため、ヒンジ式容器が小児が製品を誤飲することを防止する機能を供えると一層都合がよい。
【課題を解決するための手段】
【０００７】
本発明によるヒンジ式容器は、開口を取り囲むフランジ部をもつ容器本体と、
前記開口を開閉する旋回カバーを有し前記容器本体に取り付けられた蓋体と、
前記容器本体に収容された内容物を取り出すための取出具と、を備え、
前記容器本体は、前記取出具に係合するための容器係合部を含み、
前記旋回カバーは、前記取出具に係合するための蓋係合部を含み、
前記取出具は、前記旋回カバーで前記開口を閉じた閉鎖状態において、前記容器係合部及び前記蓋係合部に係合して、前記旋回カバーを前記容器本体に係止する。
【０００８】
本発明によるヒンジ式容器において、前記取出具は、互いに対向して位置する一対の挟持片と、前記一対の挟持片の基端部同士を連結する連結片と、を含み、前記一対の挟持片の先端部同士が互いに対して接離可能になっていてもよい。
【０００９】
本発明によるヒンジ式容器において、前記取出具の前記一対の挟持片は、当該一対の挟持片の間外に延び出した係合爪をそれぞれ含み、前記容器本体の前記容器係合部は、前記取出具の前記一対の挟持片を間に挿入される一対の係止壁を含み、前記容器本体の前記一対の係止壁は、前記取出具の前記一対の挟持片を間に挿入された状態で各々に対応する挟持片の前記係合爪が引っ掛けられる一対の係止爪を含んでもよい。
【００１０】
本発明によるヒンジ式容器において、前記蓋体は、前記容器本体の前記フランジ部に取り付けられ、前記旋回カバーを枢動可能に支持する取付ベースを有し、前記旋回カバーは、前記開口を覆うための天壁と、天壁の周縁から垂下した周壁と、を有し、前記旋回カバーの前記周壁は、前記取付ベースに枢動可能に接続された前記旋回カバーの基端部と対向する先端部側に位置する前壁を有し、前記蓋係合部は、前記前壁に設けられていてもよい。
【００１１】
本発明によるヒンジ式容器において、前記容器本体は、前記旋回カバーで前記開口を閉じた状態で、前記旋回カバーの前記前壁に対向する前胴部分を有し、前記容器係合部は、前記前胴部分に設けられていてもよい。
【００１２】
本発明によるヒンジ式容器において、前記蓋係合部は、前記基端部と前記先端部とを結ぶ前後方向に前記前壁から突出しており、前記取出具は、前記閉鎖状態において前記容器係合部に係止され、且つ、前記閉鎖状態において前記蓋係合部の上方に位置して前記旋回カバーが前記開口を開くように動くことを規制する規制壁を含んでいてもよい。
【００１３】
本発明によるヒンジ式容器において、前記蓋係合部は、前記基端部と前記先端部とを結ぶ前後方向に前記前壁から突出し、前記容器係合部は、前記前後方向に前記前胴部分から突出し、前記取出具には、前記閉鎖状態において前記蓋係合部が挿入される空間と、前記閉鎖状態において前記容器係合部が挿入される空間と、が形成されていてもよい。
【発明の効果】
【００１４】
本発明によれば、旋回カバーで開口を閉じた状態において、取出具によって旋回カバーを容器本体に係止することができる。この場合、開口を開いて内容物を取り出すためには、先ず取出具を操作して旋回カバーと容器本体との係止を解除する必要がある。このため、取出具による係止を解除した後、操作した取出具を引き続き使用して、開いた開口から内容物を取り出すことができる。したがって、内容物を取り出すときに取出具を確実に使用することができる。一方、取出具の使用後は、旋回カバーで開口を閉じた後、取出具を容器係合部及び蓋係合部に係合させて、旋回カバーを容器本体に係止する。この場合、取出具の使用後に取出具を元の位置に戻し忘れることもない。以上のことから、本発明によれば、取出具を確実に利用することが可能なヒンジ式容器が実現される。
【図面の簡単な説明】
【００１５】
【図１】実施の形態によるヒンジ式容器を示す斜視図。
【図２】図１に示すヒンジ式容器を、取出具を取り外した状態で示す斜視図。
【図３】図１に示すヒンジ式容器を、旋回カバーを開いた状態で示す斜視図。
【図４】図１に示す線ＩＶ−ＩＶに沿ったヒンジ式容器の断面を示す断面図。
【図５】図４に示す断面において、取出具で容器本体と旋回カバーとをロックする前の状態を示す断面図。
【図６】図４に示す断面において、取出具を容器本体及び旋回カバーから抜き取る操作を示す断面図。
【図７】図１に示すヒンジ式容器の一変形例を示す斜視図。
【図８】図１に示すヒンジ式容器の別の変形例を示す斜視図。
【図９】図８に示す取出具の一変形例を示す斜視図。
【図１０】図１に示すヒンジ式容器のさらに別の変形例を示す斜視図。
【図１１】図１０に示すヒンジ式容器において、容器係合部及び蓋係合部を拡大して示す斜視図。
【図１２】図１０に示すヒンジ式容器において、取出具で旋回カバーを容器本体に係止させた状態を示す斜視図。
【発明を実施するための形態】
【００１６】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１７】
図１乃至図１２は、本発明による一実施の形態及びその変形例を説明するための図である。このうち図１は、ヒンジ式容器１を示す斜視図であり、図２は、ヒンジ式容器１を取出具４を取り外した状態で示す斜視図であり、図３は、ヒンジ式容器１を開いた状態で示す斜視図である。
【００１８】
図１乃至図３に示すヒンジ式容器１は、内容物５（図３参照）を収容する容器本体２と、容器本体２に取り付けられたヒンジ式の蓋体３と、を有する。ヒンジ式容器１は、開閉が容易で利便性に優れ、種々の商品を収容することが意図されている。ヒンジ式容器に収容される内容物５の一例として、食品用の固形物、薬剤あるいは非食用のゲル状投与物等が挙げられる。
【００１９】
図３に示すように、容器本体２は、底部１１と、底部１１に接続された胴部１２と、を有している。底部１１は、ヒンジ式容器１を載置面に置いたときにヒンジ式容器１の載置面に接触する部分を構成する。胴部１２は、底部１１の周縁に接続され底部１１の上方を環状に取り囲んでいる。底部１１と胴部１２とによって規定される空間内に、内容物５を収容する収容空間Ｓ１が規定されている。
【００２０】
とりわけ、図３に示す容器本体２は、図中の前後方向ｄ１に対向する前胴部分１２ａ及び背胴部分１２ｂと、前後方向ｄ１に直交する横方向ｄ２に対向する一対の側胴部分１２ｃ、１２ｄと、を含んでいる。各側胴部分１２ｃ、１２ｄは、前胴部分１２ａ及び背胴部分１２ｂの対応する端部の間を延びている。なお、前胴部分１２ａには、取出具４と係合する容器係合部１５が設けられているが、この点については後述する。
【００２１】
胴部１２の底部１１と接続された端部とは反対側となる端部に、胴部１２から張り出したフランジ部１３が接続されている。フランジ部１３は、蓋体３が取り付けられる部分である。本実施の形態において、フランジ部１３は環状に形成され、当該フランジ部１３に囲まれる領域内に開口１０ａが規定されている。開口１０ａを介して容器本体２内の収容空間Ｓ１から内容物５が出し入れされるようになっている。
【００２２】
なお、開口１０ａの正面方向とは、開口１０ａを全体的且つ大局的に見た場合において、当該開口１０ａの平面方向と一致する面への法線方向を指す。本実施の形態において、開口１０ａの正面方向は、図１及び図２中の紙面の上下方向に一致する。
【００２３】
次に、容器本体２に取り付けられる蓋体３について説明する。図３に示すように、蓋体３は、容器本体２のフランジ部１３に取り付けられた取付ベース２０と、取付ベース２０に枢動可能に接続され、容器本体２の開口１０ａを開閉する旋回カバー３０と、を有している。
【００２４】
なお、本明細書において、旋回カバー３０のうち、取付ベース２０に枢動可能に接続された端部を基端部３０ｂと呼び、基端部３０ｂに対向する端部つまり基端部３０ｂとは反対となる端部を先端部３０ａと呼ぶ。さらに、旋回カバー３０の基端部３０ｂと先端部３０ａとを結ぶ方向を前後方向ｄ１とし、基端部３０ｂ側を後方と呼び、先端部３０ａ側を前方と呼ぶ。
【００２５】
取付ベース２０は、蓋体３のうちの容器本体２に取り付けられる部分である。図３に示すように、取付ベース２０は、前後方向ｄ１における後方の位置で開口１０ａの一部を覆うようにしてフランジ部１３に取り付けられている。図３に示す取付ベース２０は、開口１０ａの一部を覆うベース天壁２１と、ベース天壁２１の周縁から延び出したベース周壁２２と、を有している。
【００２６】
ベース周壁２２は、フランジ部１３に係合して当該フランジ部１３に取り付けられる。ベース周壁２２がフランジ部１３に取り付けられる態様は特に限定されない。例えば、ベース周壁２２がフランジ部１３に嵌合してもよいし、あるいは、ベース周壁２２が、当該ベース周壁２２の輪郭に沿って間隔を空けて配置された複数の取付爪（不図示）を有し、この取付爪が、容器本体２のフランジ部１３の裏側に回り込んで引っかけられてもよい。
【００２７】
ベース天壁２１の前方部分には、旋回カバー３０が枢動可能に接続されている。旋回カバー３０がベース天壁２１に枢動可能に接続される態様も特に限定されない。例えば、旋回カバー３０が、薄肉化された複数のヒンジ片（不図示）を介してベース天壁２１に接続されていてもよい。薄肉化されたヒンジ片が旋回カバー３０とベース天壁２１との間で変形することにより、旋回カバー３０が取付ベース２０に対して枢動（旋回、揺動）することが可能となっている。
【００２８】
旋回カバー３０は、容器本体２の開口１０ａを開閉し、内容物の出し入れを可能にする。図３に示す旋回カバー３０は、開口１０ａを覆うための天壁３１と、天壁３１の周縁から延び出した周壁３２と、を有している。なお、以下の説明では、図１及び図２に示すように旋回カバー３０で開口１０ａを閉じた状態を閉鎖状態Ｃ１と呼び、図３に示すように旋回カバー３０で開口１０ａを開いた状態を開放状態Ｃ２と呼ぶ。
【００２９】
本実施の形態における天壁３１は、矩形の輪郭をもつ板状の部分である。なお、ここでいう「矩形」には、角が尖った長方形だけでなく、角が丸みを帯びた概ね長方形形状の形状も含まれる。旋回カバー３０が開口１０ａを閉じた閉鎖状態Ｃ１において、天壁３１は、開口１０ａのうちの、ベース天壁２１が覆う領域以外の領域を覆う。すなわち、閉鎖状態Ｃ１において、天壁３１とベース天壁２１とによって、開口１０ａの全域が覆われるようになっている。
【００３０】
図３に示す例では、天壁３１の後方部分が取付ベース２０に枢動可能に接続されている。すなわち、天壁３１の後端が上述の旋回カバー３０の基端部３０ｂを規定している。
【００３１】
図３に示すように、周壁３２は、天壁３１から容器本体２側に向かって延び出し、環状に形成されている。環状の周壁３２によって囲まれ且つ天壁３１に対面する空間に、内空間Ｓ２が規定されている。旋回カバー３０で開口１０ａを閉じると、周壁３２が容器本体２のフランジ部１３の周りを取り囲み、内空間Ｓ２が容器本体２内の収容空間Ｓ１に連通するようになっている。
【００３２】
周壁３２は、前後方向ｄ１における前方に位置する前壁３２ａと、横方向ｄ２に対向する一対の側壁３２ｃ、３２ｄと、を含んでいる。前壁３２ａは、一対の側壁３２ｃ、３２ｄの前方側の端部の間を延びている。図１から理解されるように、閉鎖状態Ｃ１において、旋回カバー３０の前壁３２ａは胴部１２の前胴部分１２ａに対向する位置に位置し、旋回カバー３０の側壁３２ｃ、３２ｄは対応する胴部１２の側胴部分１２ｃ、１２ｄに対向する位置に位置する。
【００３３】
また、本実施の形態によるヒンジ式容器１は、手で触れずに内容物を取り出すべく、取出具４を有している。ただし、従来のヒンジ式容器１では、取出具４が蓋体３の内空間Ｓ２内に収容されているため、内容物を取り出すときに取出具４を見つけられなかったり、利用後に取出具４を内空間Ｓ２内に戻し忘れてしまうおそれがあった。そこで、本実施の形態による取出具４は、閉鎖状態Ｃ１において、旋回カバー３０を容器本体２に係止するよう、旋回カバー３０及び容器本体２に取り付けられるようになっている。
【００３４】
取出具４は、容器本体２に収容された内容物５を取り出すための器具である。本実施の形態による取出具４は、内容物５を挟持して取り出すトングとして構成されている。しかしながら、このような例に限定されず、取出具４は、内容物５を取り出すための器具であればよく、計量スプーンや突刺具の形態であってもよい。
【００３５】
図２に示すように、本実施の形態の取出具４は、互いに対向して位置する一対の挟持片４１を含んでいる。一対の挟持片４１は、その基端部４１ｂ同士を連結片４２によって連結されている。各挟持片４１のうち基端部４１ｂとは反対側となる先端部４１ａは、自由端となっており、一対の挟持片４１の先端部４１ａ同士が互いに対して接離可能になっている。一対の挟持片４１の先端部４１ａの間に取り出し対象の内容物５を位置させた状態で、先端部４１ａ同士を互いに対して近づけることで、内容物５を挟持することができるようになっている。
【００３６】
図２に示す例では、各挟持片４１は、長手方向をもつ薄板状の部材として構成され、連結片４２は、湾曲した薄板状の部材として構成されている。挟持片４１の先端部４１ａ側は、基端部４１ｂ側よりも幅が広くなっており、当該先端部４１ａ側に繰抜孔４３が設けられている。繰抜孔４３は、内容物５が挟持片４１に貼り付くことを防止するためのものである。
【００３７】
図４に、図１に示す線ＩＶ−ＩＶに沿ったヒンジ式容器１の断面を示す。図４に示すように、負荷をかけていない状態において、一対の挟持片４１の間の間隔Ｓは、基端部４１ｂ側から先端部４１ａ側に向かうほど、広くなっていく。したがって、一対の挟持片４１の基端部４１ｂの間の間隔は、一対の挟持片４１の先端部４１ａの間の間隔よりも狭い。
【００３８】
このような取出具４は、図１に示すように、閉鎖状態Ｃ１において旋回カバー３０を容器本体２にロックする。この取出具４が旋回カバー３０を容器本体２にロックする機構について、以下詳述する。
【００３９】
図１及び図４に示すように、容器本体２の前胴部分１２ａに容器係合部１５が設けられている。本実施の形態による容器係合部１５は、前胴部分１２ａに両端で連結され、その中間部分が前胴部分１２ａから前後方向ｄ１に離間した板状片として構成されている。容器係合部１５と前胴部分１２ａとによって囲まれる空間に、取出具４の一対の挟持片４１が挿入される挿入空間Ｓ３が規定されている。図１及び図４には、取出具４の一対の挟持片４１が挿入空間Ｓ３に挿入された状態が示されている。
【００４０】
とりわけ、容器係合部１５は、横方向ｄ２に間隔を空けて配置された一対の係止壁１５ａと、一対の係止壁１５ａに掛け渡された前当壁１５ｂと、を含んでいる。各係止壁１５ａは、前胴部分１２ａから前後方向ｄ１に延び出している。一方、前当壁１５ｂは、一対の係止壁１５ａの前後方向ｄ１における前端同士を連結している。
【００４１】
図４に示すように、一対の係止壁１５ａは、当該一対の係止壁１５ａの間に向かって延び出した係止爪１５ｃをそれぞれ含んでいる。すなわち、各係止壁１５ａの係止爪１５ｃは、他の係止壁１５ａ側に向かって突出している。図４に示す各係止爪１５ｃは、係止壁１５ａの上端から他方の係止壁１５ａに向かって横方向ｄ２に平行に延び出している。
【００４２】
容器係合部１５の一対の係止爪１５ｃは、それぞれ、取出具４の一対の挟持片４１に設けられた係合爪４１ｃに引っ掛けられる。図４に示すように、一対の挟持片４１の係合爪４１ｃは、当該一対の挟持片４１の間外に向かって延び出している。すなわち、一対の係合爪４１ｃは、互いに反対側に向かって突出している。本実施の形態において、各係合爪４１ｃの突出する方向は、挟持片４１の長手方向に直交している。また、係合爪４１ｃは、先端部４１ａと基端部４１ｂとの間となる位置に配置されている。
【００４３】
図４に示すように、取出具４の一対の挟持片４１が挿入空間Ｓ３に挿入された状態において、取出具４の各係合爪４１ｃは、容器係合部１５の対応する係止爪１５ｃよりも下方の位置で、当該係止爪１５ｃに上下方向ｄ３に対面する。このため、取出具４の各係合爪４１ｃは、上下方向ｄ３における上方に動こうとしても、容器係合部１５の対応する係止爪１５ｃに当接して、上方に動くことができない。すなわち、取出具４の一対の係合爪４１ｃが容器係合部１５の一対の係止爪１５ｃに引っ掛けられることにより、取出具４が上方に動くことを規制することができる。
【００４４】
他方で、蓋体３の前壁３２ａに蓋係合部３５が設けられている。蓋係合部３５は、取出具４と協働して、旋回カバー３０が開口１０ａを開くように動くことを規制するためのものである。本実施の形態による蓋係合部３５は、前壁３２ａから前後方向ｄ１における前方に突出した板状片として構成されている。
【００４５】
とりわけ、取出具４の一対の係合爪４１ｃが容器係合部１５の一対の係止爪１５ｃに引っ掛けられた状態において、蓋係合部３５は、一対の挟持片４１の間で、取出具４の連結片４２よりも下方に位置している。上述のように、取出具４は、容器係合部１５の一対の係止爪１５ｃに引っ掛けられて上方に動くことを規制されていることから、旋回カバー３０が開口１０ａを開くように上方に動くと、蓋係合部３５が上方に位置する連結片４２に当接する。すなわち、旋回カバー３０は、開口１０ａを開くように動こうとしても、取出具４の連結片４２に当接してしまい、開口１０ａを開くように動くことができない。すなわち、取出具４の連結片４２は、旋回カバー３０が開口１０ａを開くように動くことを規制する規制壁として機能する。
【００４６】
このようなヒンジ式容器１を構成する各構成要素は、種々の態様で成形することが可能である。一例として、容器本体２は、底部１１、胴部１２及び容器係合部１５をインジェクション成形によって一体として成形することで作製され、蓋体３は、取付ベース２０及び旋回カバー３０をインジェクション成形によって一体として成形することで作製されてもよい。また、取出具４も、インジェクション成形によって一体として成形されてもよい。
【００４７】
次に、以上のような構成からなるヒンジ式容器１の使用方法について、図５及び図６も参照して説明する。図５は、取出具４の一対の挟持片４１を容器本体２の挿入空間Ｓ３に挿入するようすを示す断面図であり、図６は、取出具４を容器本体２及び旋回カバー３０から抜き取る操作を示す断面図である。
【００４８】
先ず、図３に示す旋回カバー３０を開いた状態から、旋回カバー３０を取付ベース２０に対して旋回させて、旋回カバー３０で開口１０ａを閉じる。旋回カバー３０で開口１０ａを閉じた後、図５に示すように、一対の挟持片４１の先端部４１ａ同士を互いに近づけた状態で、取出具４の一対の挟持片４１を、容器本体２の一対の係止壁１５ａの間の挿入空間Ｓ３に挿入する。
【００４９】
図４から理解されるように、取出具４の一対の挟持片４１を、容器本体２の一対の係止壁１５ａの間に挿入していくと、取出具４の各係合爪４１ｃが容器本体２の係止爪１５ｃに押されて当該係止爪１５ｃを越える。取出具４の各係合爪４１ｃが容器本体２の係止爪１５ｃを越えると、取出具４の連結片４２が旋回カバー３０の蓋係合部３５に当接する。これにより、取出具４をさらに挿入しても、連結片４２が蓋係合部３５に当接してそれ以上挿入することができなくなる。
【００５０】
その後、一対の挟持片４１の先端部４１ａ同士の接近を解除し、当該先端部４１ａ同士を弾性的な復元力を利用して離間させる。図４に示すように、一対の挟持片４１の先端部４１ａ同士が離間した状態において、取出具４の各係合爪４１ｃは、容器係合部１５の対応する係止爪１５ｃよりも下方の位置で、当該係止爪１５ｃに上下方向ｄ３に対面する。このため、取出具４の各係合爪４１ｃを上下方向ｄ３における上方に抜き取ろうとしても、容器係合部１５の対応する係止爪１５ｃに当接してしまい、上方に抜き取ることもできない。
【００５１】
このように、取出具４の連結片４２が旋回カバー３０の蓋係合部３５に上方から当接し、且つ、取出具４の一対の係合爪４１ｃが容器係合部１５の一対の係止爪１５ｃに引っ掛けられることにより、取出具４が容器本体２及び旋回カバー３０に保持される。
【００５２】
さらに、図４に示す状態から、旋回カバー３０が開口１０ａを開くように上方に動こうとすると、蓋係合部３５が上方に位置する連結片４２に当接して、開口１０ａを開くように動くことができない。すなわち、図４に示す状態において、取出具４は、旋回カバー３０を容器本体２に係止（ロック）する。
【００５３】
旋回カバー３０を開く際には、図６に示すように、取出具４の一対の挟持片４１の先端部４１ａを、互いに接近させるように摘まむ。先端部４１ａ同士の接近に伴い、一対の係合爪４１ｃも互いに接近するように動き、容器本体２の係止爪１５ｃから離間する。このため、取出具４の一対の係合爪４１ｃと、容器本体２の一対の係止爪１５ｃと、の係合（引っ掛かり）が解除され、取出具４を上方に引き抜くことができる。このように、取出具４の一対の挟持片４１の先端部４１ａを互いに接近させるように摘まんだ後でなければ、取出具４を容器係合部１５から引き抜くことができないようにすることで、幼児の誤飲を防止するチャイルドレジスタンス機能を発揮することができる。
【００５４】
取出具４を引き抜いた後、旋回カバー３０を取付ベース２０に対して旋回させ、開口１０ａを開放する。その後、手に把持した取出具４を開口１０ａから収容空間Ｓ１に挿入して、容器本体２内の内容物５を取り出す。
【００５５】
以上のように、本実施の形態によれば、開口１０ａを取り囲むフランジ部１３をもつ容器本体２と、開口１０ａを開閉する旋回カバー３０を有し容器本体２に取り付けられた蓋体３と、容器本体２に収容された内容物５を取り出すための取出具４と、を備え、容器本体２は、取出具４に係合するための容器係合部１５を含み、旋回カバー３０は、取出具４に係合するための蓋係合部３５を含み、取出具４は、旋回カバー３０で開口１０ａを閉じた閉鎖状態Ｃ１において、容器係合部１５及び蓋係合部３５に係合して、旋回カバー３０を容器本体２に係止する。このような形態によれば、旋回カバー３０で開口１０ａを閉じた閉鎖状態Ｃ１において、取出具４によって旋回カバー３０を容器本体２に係止することができる。この場合、開口１０ａを開いて内容物５を取り出すためには、取出具４を操作して旋回カバー３０と容器本体２との係止を解除する必要がある。このため、取出具４による係止を解除した後、操作した取出具４を引き続き利用して、開いた開口１０ａから内容物５を取り出すことができる。したがって、内容物５を取り出すときに取出具４を確実に使用することができる。一方、取出具４の使用後は、旋回カバー３０で開口１０ａを閉じた後、取出具４を容器係合部１５及び蓋係合部３５に係合させて、旋回カバー３０を容器本体２に係止する。この場合、取出具４の使用後に取出具４を元の位置に戻し忘れることもない。以上のことから、本実施の形態によれば、取出具４を確実に利用することが可能なヒンジ式容器１が実現される。
【００５６】
また、本実施の形態によれば、取出具４は、互いに対向して位置する一対の挟持片４１と、一対の挟持片４１の基端部４１ｂ同士を連結する連結片４２と、を含み、一対の挟持片４１の先端部４１ａ同士が互いに対して接離可能になっている。この場合、一対の挟持片４１の先端部４１ａ同士を互いに対して接離させることで、内容物５を挟持して取り出すことができる。
【００５７】
また、本実施の形態によれば、取出具４の一対の挟持片４１は、当該一対の挟持片４１の間外に突出した係合爪４１ｃをそれぞれ含み、容器本体２の容器係合部１５は、取出具４の一対の挟持片４１を間に挿入される一対の係止壁１５ａを含み、容器本体２の一対の係止壁１５ａは、当該一対の係止壁１５ａの間に取出具４の一対の挟持片４１を挿入された状態で、各々に対応する挟持片４１の係合爪４１ｃが引っ掛けられる一対の係止爪１５ｃを含む。このような形態によれば、取出具４の一対の係合爪４１ｃを容器本体２の一対の係止爪１５ｃにそれぞれ引っ掛けることで、取出具４の容器本体２に対する動きを容易に規制することができる。
【００５８】
また、本実施の形態によれば、蓋体３は、容器本体２のフランジ部１３に取り付けられ、旋回カバー３０を枢動可能に支持する取付ベース２０を有し、旋回カバー３０は、開口１０ａを覆うための天壁３１と、天壁３１の周縁から垂下した周壁３２と、を有し、旋回カバー３０の周壁３２は、取付ベース２０に枢動可能に接続された旋回カバー３０の基端部３０ａと対向する先端部３０ａ側に位置する前壁３２ａを有し、蓋係合部３５は、前壁３２ａに設けられている。旋回カバー３０の先端部３０ａは基端部３０ｂよりも旋回動作時の動く範囲が大きいため、蓋係合部３５が先端部３０ａ側に位置する前壁３２ａに設けられている場合、取出具４を用いて旋回カバー３０を容器本体２に安定して係止し易くなる。
【００５９】
また、本実施の形態によれば、容器本体２は、旋回カバー３０で開口１０ａを閉じた閉鎖状態Ｃ１で、旋回カバー３０の前壁３２ａに対向する前胴部分１２ａを有し、容器係合部１５は、前胴部分１２ａに設けられている。このような形態によれば、閉鎖状態Ｃ１において、容器本体２に設けられた容器係合部１５が、前壁３２ａに設けられた蓋係合部３５の近くに配置されることになることから、容器係合部１５と蓋係合部３５とに係合する取出具４をコンパクトに構成することに寄与する。
【００６０】
また、本実施の形態によれば、蓋係合部３５は、先端部３０ａと基端部３０ｂとを結ぶ前後方向ｄ１に前壁３２ａから突出しており、取出具４は、閉鎖状態Ｃ１において容器係合部１５に係止され、且つ、閉鎖状態Ｃ１において蓋係合部３５の上方に位置して旋回カバー３０が開口１０ａを開くように動くことを規制する規制壁４２を含む。このような形態によれば、取出具４の規制壁４２と、旋回カバー３０の蓋係合部３５と、によって、旋回カバー３０が開口１０ａを開くように動くことを規制することができるため、旋回カバー３０を容器本体２にロックする機構を簡易に構成することができる。
【００６１】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６２】
上述した実施の形態では、図１に示すように、容器係合部１５の前当壁１５ｂが一対の係止壁１５ａの間で繋がっている例を示したが、前当壁１５ｂの形状は、上述した例に限定されない。図７に、前当壁１５ｂの形状の他の例を示す。図７に示す例では、容器係合部１５の前当壁１５ｂが分離している。
【００６３】
図７に示す前当壁１５ｂは、互いに離間した第１部分１５ｄ及び第２部分１５ｅを含んでいる。第１部分１５ｄ及び第２部分１５ｅは、前胴部分１２ａに対して間隔を空けて設けられ、当該前胴部分１２ａと対向している。
【００６４】
とりわけ、第１部分１５ｄは、その基端で一方の係止壁１５ａの前端に接続され、他方の係止壁１５ａに向かって横方向ｄ２に沿って延び出している。第２部分１５ｅは、その基端で他方の係止壁１５ａの前端に接続され、一方の係止壁１５ａに向かって横方向ｄ２に沿って延び出している。そして、延び出した第１部分１５ｄの先端と第２部分１５ｅの先端とは、横方向ｄ２に間隔を空けて向き合っている。
【００６５】
このような形態によれば、第１部分１５ｄの先端と第２部分１５ｅの先端との間のスペースから、指を挿入することができるため、閉鎖状態Ｃ１において取出具４を容易に操作することができる、という利点をもつ。
【００６６】
また、上述した実施の形態では、図１に示すように、取出具４がトングとして構成された例を示したが、取出具４の形態は、上述した例に限定されない。図８に、取出具４の他の形態を示す。図８に示す例では、取出具４は、いわゆる計量スプーンとして構成されている。
【００６７】
図８に示す取出具４は、内容物５を収容するための皿部分４４と、皿部分４４に接続された柄部分４５と、を含んでいる。このうち、柄部分４５には、蓋係合部３５が挿入される挿入空間４６ａと、容器係合部１５が挿入される挿入空間４６ｂと、が形成されている。
【００６８】
図８に示す例では、蓋係合部３５は、前壁３２ａから前後方向ｄ１に延び出した突起として構成され、容器係合部１５は、前胴部分１２ａから前後方向ｄ１に延び出した突起として構成されている。
【００６９】
このような構成によれば、旋回カバー３０で開口１０ａを閉じた閉鎖状態Ｃ１において、取出具４の一方の挿入空間４６ａに蓋係合部３５を挿入するとともに、取出具４の他方の挿入空間４６ｂに容器係合部１５を挿入することで、取出具４によって旋回カバー３０を容器本体２に係止することができる。とりわけ、取出具４には、蓋係合部３５が挿入される挿入空間４６ａと、容器係合部１５が挿入される挿入空間４６ｂと、を形成するだけで実現することができる点で、取出具４を安価に構成することができるというメリットをもつ。
【００７０】
なお、柄部分４５に形成された、蓋係合部３５が挿入される挿入空間４６ａと、容器係合部１５が挿入される挿入空間４６ｂとは、別個に設けられていてもよいし、一体として繋がっていてもよい。図９に、蓋係合部３５が挿入される挿入空間４６ａと、容器係合部１５が挿入される挿入空間４６ｂとが、一体として繋がった例を示す。図９に示す例では、取出具４の柄部分４５に、蓋係合部３５及び容器係合部１５が挿入される挿入空間４６が長孔として形成されている。このような形態であっても、図８に示す形態と同様な作用効果を奏することができる。
【００７１】
さらに、図１０乃至図１２に、取出具４を容器係合部１５及び蓋係合部３５に係合させる他の例を示す。図１０は、ヒンジ式容器１のさらに別の変形例を示す斜視図であり、図１１は、図１０に示す容器係合部１５及び蓋係合部３５を拡大して示す斜視図であり、図１２は、取出具４で旋回カバー３０を容器本体２に係止させた状態を示す斜視図である。
【００７２】
図１０乃至図１２に示す例でも、取出具４の柄部分４５に、蓋係合部３５及び容器係合部１５が挿入される挿入空間４６が形成されている。挿入空間４６は、柄部分４５の長手方向に沿った長軸をもつ矩形孔として形成されている。
【００７３】
図１１に示すように、蓋係合部３５は、前壁３２ａから前後方向ｄ１に延び出した軸部３５ｐと、軸部３５ｐの先端に設けられ軸部３５ｐよりも拡開した頭部３５ｑと、を含んでいる。とりわけ、軸部３５ｐは、前壁３２ａに接続された基端部に、横方向ｄ２に肉盛りされた厚肉部分３５ｒを含んでいる。一方、頭部３５ｑは、横方向ｄ２の寸法が上下方向ｄ３の寸法よりも大きい。
【００７４】
同様に、容器係合部１５は、前胴部分１２ａから前後方向ｄ１に延び出した軸部１５ｐと、軸部１５ｐの先端に設けられ軸部１５ｐよりも拡開した頭部１５ｑと、を含んでいる。とりわけ、軸部１５ｐは、前胴部分１２ａに接続された基端部に、横方向ｄ２に肉盛りされた厚肉部分１５ｒを含んでいる。一方、頭部１５ｑは、横方向ｄ２の寸法が上下方向ｄ３の寸法よりも大きい。
【００７５】
図１１から理解されるように、旋回カバー３０で開口１０ａを閉じると、旋回カバー３０の蓋係合部３５と容器本体２の容器係合部１５とが重なる。取出具４で旋回カバー３０を容器本体２に係止する際には、図１１に示すように、取出具４の挿入空間４６の長軸を、２つの頭部１５ｑ、３５ｑの長手方向に合わせ、取出具４の挿入空間４６に２つの頭部１５ｑ、３５ｑを挿入させる。続いて、図１２に示すように、２つの頭部１５ｑ、３５ｑが挿入空間４６を通過した状態で、取出具４を回転させる。上述のように、２つの軸部１５ｐ、３５ｐに厚肉部分１５ｒ、３５ｒが設けられているため、取出具４を回転させると、取出具４の柄部分４５が厚肉部分１５ｒ、３５ｒと頭部１５ｑ、３５ｑとの間に挟まれる。これにより、取出具４の柄部分４５を厚肉部分１５ｒ、３５ｒと頭部１５ｑ、３５ｑとの間で保持すると共に、旋回カバー３０が開口１０ａを開くように動くことを規制することができる。
【００７６】
旋回カバー３０を開く際には、取出具４を回転させ、取出具４の挿入空間４６の長軸を、２つの頭部１５ｑ、３５ｑの長手方向に合わせる。続いて、２つの頭部１５ｑ、３５ｑに取出具４の挿入空間４６を通り抜けさせる。これにより、取出具４を容器係合部１５及び蓋係合部３５から抜き取ることができ、旋回カバー３０を開くことが可能となる。このように、取出具４を回転させ、取出具４の挿入空間４６の長軸を、２つの頭部１５ｑ、３５ｑの長手方向に合わせた後でなければ、取出具４を容器係合部１５及び蓋係合部３５から抜き取ることができないようにすることで、幼児の誤飲を防止するチャイルドレジスタンス機能を発揮することができる。
【００７７】
なお、以上のように、上述した実施の形態に対するいくつかの変形例を説明してきたが、当然に、複数の変形例を適宜組み合わせて適用することも可能である。
【符号の説明】
【００７８】
１      ヒンジ式容器
２      容器本体
３      蓋体
４      取出具
５      内容物
１０ａ  開口
１２ａ  前胴部分
１３    フランジ部
１５    容器係合部
１５ａ  係止壁
１５ｃ  係止爪
２０    取付ベース
３０    旋回カバー
３０ａ  先端部
３０ｂ  基端部
３１    天壁
３２    周壁
３２ａ  前壁
３５    蓋係合部
４１    挟持片
４１ａ  基端部
４１ｂ  先端部
４１ｃ  係合爪
４２    連結片（規制壁）
４６、４６ａ、４６ｂ  空間
ｄ１    前後方向
ｄ２    横方向
ｄ３    上下方向
Ｃ１    閉鎖状態
【図１】
2016204017.tif 000003
【図２】
2016204017.tif 000004
【図３】
2016204017.tif 000005
【図４】
2016204017.tif 000006
【図５】
2016204017.tif 000007
【図６】
2016204017.tif 000008
【図７】
2016204017.tif 000009
【図８】
2016204017.tif 000010
【図９】
2016204017.tif 000011
【図１０】
2016204017.tif 000012
【図１１】
2016204017.tif 000013
【図１２】
2016204017.tif 000014